(57)【要約】【課題】温水交換時期を検出、判断し、装置の故障につながる温水の劣化を知らせることができる温水暖房装置を提供すること。【解決手段】演算部１０において、水検知部６で検出する検知電流値と水無設定値および温水交換設定値と比較し、水無設定値より高くかつ温水交換設定値よりも低い場合に運転操作部８に温水交換表示を行うようにしたものである。これにより、温水交換時期を検出、判断し、装置の故障につながる温水の劣化を知らせることができる。【選択図】  図１
2004219008.tif 000002
【特許請求の範囲】
【請求項１】
バーナ部と、このバーナ部の燃焼により発生する燃焼熱で温水を加熱する温水熱交換器と、この温水熱交換器に連設し温水を循環する温水循環手段と、前記温水熱交換器の出口に配設し温水温度を検出する湯温検出器と、温水を貯める貯湯タンクと、貯湯タンクの温水有無を検知する水検知部と、温水循環手段により温水熱交換器で加熱された温水の循環経路と、運転操作部と、前記温水循環手段、湯温検出器、水検知部、運転操作部を制御する制御部と、制御部における演算部とを有し、前記演算部において、水検知部で検出する検知電流値が、水無設定値より高くかつ温水交換設定値よりも低い場合に運転操作部に温水交換表示を行う温水暖房装置。
【請求項２】
初回運転開始時に、温水温度上昇とともに湯温検出器での温水温度と水検知部での検知電流値を複数記憶し、温水交換設定値を設定する請求項１に記載の温水暖房装置。
【請求項３】
一定期間ごとの運転開始時に、演算部で検知電流値と温水交換設定値の比較演算を行う請求項１または２に記載の温水暖房装置。
【請求項４】
演算部で初回運転開始時からの通電時間を累積し、一定時間経過後に運転操作部に温水交換表示を行う請求項１に記載の温水暖房装置。
【請求項５】
温水の循環経路が密閉式か開放式かを設定する設定部を有し、開放式の場合は、温水交換設定値を高くした請求項１〜３のいずれか１項に記載の温水暖房装置。
【発明の詳細な説明】
【０００１】
【発明の属する技術分野】
本発明は温水を用いて暖房を行う温水暖房装置に関するものである。
【０００２】
【従来の技術】
従来、温水循環手段により温水を循環させて暖房を行う温水暖房装置は種々のものが知られている（例えば、特許文献１参照）。
【０００３】
【特許文献１】
特開２００２−２６７１８８号公報
【０００４】
【発明が解決しようとする課題】
しかしながら、従来の温水暖房装置においては、温水交換時期については説明書等で交換の目安を啓蒙するしかなく、ユーザー任せであった。したがって、温水交換時期が予見できないため、温水に含まれる防錆剤の効果が無くなり、配管を腐食させたり、目詰まりを起こしたりするというような課題があった。
【０００５】
本発明は、前記従来の課題を解決するもので、温水交換時期を検出、判断することで、装置の故障につながる温水の劣化を知らせるようにした温水暖房装置を提供することを目的とするものである。
【０００６】
【課題を解決するための手段】
前記目的を達成するために、本発明の温水暖房装置は、演算部において、水検知部で検出する検知電流値と水無設定値および温水交換設定値と比較し、水無設定値より高くかつ温水交換設定値よりも低い場合に運転操作部に温水交換表示を行うようにしたものである。
【０００７】
これにより、温水交換時期を検出、判断し、装置の故障につながる温水の劣化を知らせることができる。
【０００８】
【発明の実施の形態】
請求項１に記載の発明は、バーナ部と、このバーナ部の燃焼により発生する燃焼熱で温水を加熱する温水熱交換器と、この温水熱交換器に連設し温水を循環する温水循環手段と、前記温水熱交換器の出口に配設し温水温度を検出する湯温検出器と、温水を貯める貯湯タンクと、貯湯タンクの温水有無を検知する水検知部と、温水循環手段により温水熱交換器で加熱された温水の循環経路と、運転操作部と、前記温水循環手段、湯温検出器、水検知部、運転操作部を制御する制御部と、制御部における演算部とを有し、前記演算部において、水検知部で検出する検知電流値が、水無設定値より高くかつ温水交換設定値よりも低い場合に運転操作部に温水交換表示を行う温水暖房装置としたことにより、温水交換時期を検出、判断し、装置の故障につながる温水の劣化を交換前に知らせることができる。
【０００９】
請求項２に記載の発明は、初回運転開始時に、温水温度上昇とともに湯温検出器での温水温度と水検知部での検知電流値を複数記憶し、温水交換設定値を設定する請求項１に記載の温水暖房装置としたことにより、検出精度を高め、正確な温水交換時期の検出、判断を行うことができる。
【００１０】
請求項３に記載の発明は、一定期間ごとの運転開始時に、演算部で検知電流値と温水交換設定値の比較演算を行う請求項１または２に記載の温水暖房装置としたことにより、常時水検知部に電流を流すことによる検知部の腐食を防止することができ、効果的に温水交換時期の検出、判断を行うことができる。
【００１１】
請求項４に記載の発明は、演算部で初回運転開始時からの通電時間を累積し、一定時間経過後に運転操作部に温水交換表示を行う請求項１に記載の温水暖房装置としたことにより、簡易的な検出方法で誤動作が少なく、温水交換時期を検出、判断し、装置の故障につながる温水の劣化を交換前に知らせることができる。
【００１２】
請求項５に記載の発明は、温水の循環経路が密閉式か開放式かを設定する設定部を有し、開放式の場合は、温水交換設定値を高くした請求項１〜３のいずれか１項に記載の温水暖房装置としたことにより、開放式での酸素接触による温水劣化の進行が早まることにも対応して、温水交換時期を検出、判断し、装置の故障につながる温水の劣化を交換前に知らせることができる。
【００１３】
【実施例】
以下、本発明の実施例について、図面を参照して説明する。
【００１４】
（実施例１）
図１、図２は本発明の実施例１における温水暖房装置を示したものである。
【００１５】
図１に示すように、温水暖房装置は、バーナ部１と、このバーナ部１の燃焼により発生する燃焼熱で温水を加熱する温水熱交換器２と、この温水熱交換器２に連設し温水を循環するポンプ等の温水循環手段３と、前記温水熱交換器２の出口に配設し温水温度を検出する湯温検出器４と、温水を貯める貯湯タンク５と、貯湯タンク５の温水有無を検知する水検知部６と、温水循環手段３により温水熱交換器２で加熱された温水の循環経路７と、運転操作部８と、前記温水循環手段３、往き湯温検出器４、水検知部６、運転操作部８を制御する制御部９と、制御部９における演算部１０とを有し、前記演算部１０において、水検知部６で検出する検知電流値が、水無設定値より高くかつ温水交換設定値よりも低い場合に運転操作部８に温水交換表示を行うようにしている。水検知部６での検知電流値検出は、水検知部６を構成する水電極とアース間に流れる電流値を検出するようにしている。一方、温水交換設定値は、適宜な方法により事前に設定されているものである。
【００１６】
また、循環経路７には、室内に設置した熱交換器１１と温風ファン１２を内蔵する温風放熱器１３が接続されている。温風放熱器１３では、温風ファン１２からの送風を熱交換器１１で熱交換して温風吹出口１４から吹出し室内を暖房するようになっている。
【００１７】
また、バーナ部１、温水熱交換器２、温水循環手段３等を内蔵した熱源機１５は、室外に設けてある。なお、１６はバーナーモーター、１７は送風ファン、１８は温水熱交換器２から熱交換器１１への温水の往き口、１９は温水の戻り口である。
【００１８】
上記構成において、熱源機１５の温水循環手段３が駆動されることにより、温水は循環経路７を介して室内に設置した温風放熱器１３に循環し、温風ファン１２からの送風を熱交換器１１で熱交換して温風吹出口１４から吹出し室内を暖房する。その後、温水は、熱源機１において、戻り口１９から貯湯タンク５に入り、温水量を水検知部６で検出し、水検知部６の水位を下回る場合に、運転操作部８にエラー表示し、運転を停止するように構成されている。水位があればさらに温水循環手段３により温水熱交換器２へ送られ、往き口１８を通過して循環経路７へと循環される。なお、温水は、バーナーモーター１６、送風ファン１７で送風されてバーナ部１で加熱された温風と温水熱交換器２で熱交換され、湯温検出器４で温度調節される。制御部９は熱源機１５をコントロールするものである。
【００１９】
次に、図２によりフローを説明すると、まず、水検知部６における検知電流値が、水無設定値より高いかどうかを判断し（ステップ１）、ＮＯであれば「水なし」として運転操作部８にエラー表示し、運転を停止する。逆にＹＥＳであれば、温水循環手段３が運転開始される。次に、水検知部６における検知電流値が温水交換設定値よりも高いかどうかを判断し（ステップ２）、ＹＥＳであれば暖房運転を行い、逆にＮＯであれば運転操作部８に温水交換表示を行う。これにより、温水交換時期を検出、判断し、装置の故障につながる温水の劣化を知らせることができるものである。
【００２０】
（実施例２）
次に、図３は本発明の実施例２における温水暖房装置のフローを示したものである。基本構成は実施例１と同じであるので、相違点を中心に説明する。
【００２１】
本実施例においては、初回運転開始時に、温水温度上昇とともに湯温検出器４での温水温度と水検知部６での検知電流値を複数記憶し、温水交換設定値を設定するものである。
【００２２】
図において、ステップ１では実施例１と同様な判断をする。ここで、ＹＥＳであれば、運転初回時かどうかを判断する（ステップ２）。運転初回時であれば、すなわち、ＹＥＳであれば、温水循環手段３が運転開始し、暖房運転がなされる。そして、温水交換設定値を設定するため、暖房運転による湯温上昇とともに、３点以上の温度（例えば２０℃、５０℃、８０℃）とそのときの水電極とアース間に流れる電流値を検出し、交換設定値を演算するとともに、水温検出して交換設定値を算出する。一方、ステップ２でＮＯであれば、暖房運転を継続し水温検出に至る。次に、水検知部６における検知電流値が算出された温水交換設定値よりも高いかどうかを判断し（ステップ３）、ＹＥＳであれば暖房運転を行い、逆にＮＯであれば運転操作部８に温水交換表示を行う。これにより、検出精度を高め、正確に温水交換時期を検出、判断し、装置の故障につながる温水の劣化を知らせることができるものである。
【００２３】
（実施例３）
次に、図４は本発明の実施例３における温水暖房装置のフローを示したものである。基本構成は実施例２と同じであるので、相違点を中心に説明する。
【００２４】
本実施例では、一定期間ごとの運転開始時に、演算部１０で検知電流値と温水交換設定値の比較演算を行うものである。
【００２５】
図において、ステップ２でＮＯであれば、ステップ４において、温水交換の判定及び表示の間隔を、前回運転開始時より、例えば１日、１週間、あるいは１ヶ月経過するごとに判断し、ここでＹＥＳであれば、ステップ３へ移行し、ＮＯであれば、暖房運転を継続する。これにより、常時水検知部に電流を流すことによる検知部の腐食を防止することができ、効果的に温水交換時期を検出、判断し、装置の故障につながる温水の劣化を知らせることができるものである。
【００２６】
（実施例４）
次に、図５は本発明の実施例４における温水暖房装置のフローを示したものである。基本構成は実施例１と同じであるので、相違点を中心に説明する。
【００２７】
本実施例では、演算部１０で初回運転開始時からの通電時間を累積し、一定時間経過後に運転操作部８に温水交換表示を行うものである。
【００２８】
図において、ステップ２で運転開始初回より一定期間、例えば５千時間、あるいは１万時間、経過ごとに判断し、ここでＹＥＳであれば、運転操作部８に温水交換表示を行う。これにより、簡易的な検出方法で誤動作が少なく、温水交換時期を検出、判断し、装置の故障につながる温水の劣化を知らせることができるものである。
【００２９】
（実施例５）
次に、図６は本発明の実施例５における温水暖房装置のフローを示したものである。基本構成は実施例１と同じであるので、相違点を中心に説明する。
【００３０】
本実施例では、温水の循環経路７が密閉式か開放式かを設定する設定部を有するもので、ステップ２で開放式か密閉式かを判断し、開放式の場合は、温水交換設定値は開放式閾値を加えて高くし、密閉式であれば、ステップ３で当初の温水交換設定値どうりで交換必要かどうかを判断する。これにより、開放式での酸素接触による温水劣化の進行が早まることにも対応して、温水交換時期を検出、判断し、装置の故障につながる温水の劣化を知らせることができるものである。
【００３１】
【発明の効果】
以上説明したように、本発明の温水暖房装置によれば、演算部において、水検知部で検出する検知電流値と水無設定値および温水交換設定値と比較し、水無設定値より高くかつ温水交換設定値よりも低い場合に運転操作部に温水交換表示を行うようにしたものであるため、温水交換時期を検出、判断し、装置の故障につながる温水の劣化を知らせることができる。
【図面の簡単な説明】
【図１】本発明の実施例１における温水暖房装置の構成図
【図２】同装置の動作状態を示すフローチャート
【図３】本発明の実施例２における温水暖房装置のの動作状態を示すフローチャート
【図４】本発明の実施例３における温水暖房装置のの動作状態を示すフローチャート
【図５】本発明の実施例４における温水暖房装置のの動作状態を示すフローチャート
【図６】本発明の実施例５における温水暖房装置のの動作状態を示すフローチャート
【符号の説明】
１  バーナ部
２  温水熱交換器
３  温水循環手段
４  湯温検出器
５  貯湯タンク
６  水検知部
７  循環経路
８  運転操作部
９  制御部
１０  演算部
【図１】
2004219008.tif 000003
【図２】
2004219008.tif 000004
【図３】
2004219008.tif 000005
【図４】
2004219008.tif 000006
【図５】
2004219008.tif 000007
【図６】
2004219008.tif 000008